(57)【要約】【課題】小型コンパクト化及び軽量化の実現により、作業性，運搬性及び保管性を高めるとともに、載置する地面の状態に影響されることなく、常に足場板を安定かつ確実に支持することにより、安全性を高める。【解決手段】足場板Ｂの底面Ｂｄを支持する底面支持部２及びこの底面支持部２の両端からそれぞれ突出して足場板Ｂの少なくとも両側面Ｂｘ，Ｂｙを保持する一対の側面保持部３ｘ，３ｙを有する足場板保持体部Ｕｓと、この足場板保持体部Ｕｓの底部に上端を結合し、かつ下端を地面Ｅ上に載置する地面載置部４として構成するとともに、上下方向の長さを調整する長さ調整部５及び上下方向の伸縮を許容する弾性部６を有する支柱体部Ｕｐを備える。【選択図】図１
2004278049.tif 000002
【特許請求の範囲】
【請求項１】
両側が一対の支持台によりそれぞれ支持される足場板の中間位置を支持する足場板用補助支持器において、足場板の底面を支持する底面支持部及びこの底面支持部の両端からそれぞれ突出して足場板の少なくとも両側面を保持する一対の側面保持部を有する足場板保持体部と、この足場板保持体部の底部に上端を結合し、かつ下端を地面上に載置する地面載置部として構成するとともに、上下方向の長さを調整する長さ調整部及び上下方向の伸縮を許容する弾性部を有する支柱体部を備えることを特徴とする足場板用補助支持器。
【請求項２】
前記側面保持部は、水平部と鉛直部によりＬ形に構成し、水平部を前記底面支持部に対してスライド自在に取付けるとともに、一対の側面保持部の間隔が狭まる方向に加圧バネ部材によりそれぞれ付勢されることを特徴とする請求項１記載の足場板用補助支持器。
【請求項３】
前記鉛直部には、足場板の側面に当接した際に滑り又は抜けを防止する離脱防止部を設けることを特徴とする請求項２記載の足場板用補助支持器。
【請求項４】
前記支柱体部は、断面積の異なる三本のパイプ部材を挿通させて構成し、第一パイプ部材と第二パイプ部材間に前記弾性部を設けるとともに、第二パイプ部材と第三パイプ部材間に前記長さ調整部を設けることを特徴とする請求項１記載の足場板用補助支持器。
【請求項５】
前記弾性部は、弾性力の大きい第一バネ部材と弾性力の小さい第二バネ部材を直列にして構成することを特徴とする請求項４記載の足場板用補助支持器。
【発明の詳細な説明】
【０００１】
【発明の属する技術分野】
本発明は、両側が一対の支持台によりそれぞれ支持される足場板の中間位置を支持する際に用いて好適な足場板用補助支持器に関する。
【０００２】
【従来の技術】
一般に、建築現場等において、作業者の手の届かない高い位置における作業を行う場合、支持台により支持される足場板が用いられる。
【０００３】
従来、この種の支持台としては、特開平１０−６８２１９号公報で開示される作業用足場板の支持台が知られている。この支持台は、足場板を載せる支持部材の支持板に、支持パイプをヒンジ部を中心として回動自在に軸着し、この支持パイプの前後方向の両下端部に、左右一対の上部脚部の上端を溶着するとともに、さらに、上部脚部内に下部脚部をスライド自在に設け、前後一対の下部脚部の下端部を連結材により相互に連結し、左右一対の上部脚部の間に規制部材を二つ折自在に軸着することにより、左右一対の上部脚部の相互最大開度を規制するように構成したものである。
【特許文献１】
特開平１０−６８２１９号公報
【０００４】
【発明が解決しようとする課題】
ところで、上述した支持台は、足場板の両側を一対の支持台で支持するため、足場板が長い場合、作業者が載ったときに中間位置が下方に撓んでしまう。したがって、この場合には、第三の支持台を用意し、法上も規定されている三点足場により足場板の中間位置を支持する必要がある。しかし、このような三つの支持台により三点支持する場合、次のような問題を生じる。
【０００５】
第一に、支持台には、通常、四本足の脚立が用いられるが、形状的にも大きくかつ重量も大きい三つの脚立を用意する必要があるなど、作業性，運搬性及び保管性に劣る。
【０００６】
第二に、支持台を載置する地面が平坦であれば良いが、足場板の中間位置の下方における地面がその両側に対して凹状又は凸状になっている場合には、安定した三点支持ができないとともに、返って不安定になるなど、十分な支持機能を確保できず、安全性の低下を招く。
【０００７】
本発明は、このような従来の技術に存在する課題を解決したものであり、小型コンパクト化及び軽量化の実現により、作業性，運搬性及び保管性を高めることができるとともに、載置する地面の状態に影響されることなく、常に足場板を安定かつ確実に支持することにより、安全性を高めることができる足場板用補助支持器の提供を目的とする。
【０００８】
【課題を解決するための手段及び実施の形態】
本発明に係る足場板用補助支持器１は、両側が一対の支持台Ｓａ，Ｓｂによりそれぞれ支持される足場板Ｂの中間位置を支持する補助支持器であって、足場板Ｂの底面Ｂｄを支持する底面支持部２及びこの底面支持部２の両端からそれぞれ突出して足場板Ｂの少なくとも両側面Ｂｘ，Ｂｙを保持する一対の側面保持部３ｘ，３ｙを有する足場板保持体部Ｕｓと、この足場板保持体部Ｕｓの底部に上端を結合し、かつ下端を地面Ｅ上に載置する地面載置部４として構成するとともに、上下方向の長さを調整する長さ調整部５及び上下方向の伸縮を許容する弾性部６を有する支柱体部Ｕｐを備えることを特徴とする。
【０００９】
この場合、好適な実施の形態により、側面保持部３ｘ，３ｙは、水平部３ｘｈ，３ｙｈと鉛直部３ｘｖ，３ｙｖによりＬ形に構成し、水平部３ｘｈ，３ｙｈを底面支持部２に対してスライド自在に取付けるとともに、一対の側面保持部３ｘ，３ｙの間隔が狭まる方向に加圧バネ部材１１ｘ，１１ｙによりそれぞれ付勢される構成を採用できる。なお、鉛直部３ｘｖ，３ｙｖには、足場板Ｂの側面Ｂｘ，Ｂｙに当接した際に滑り又は抜けを防止する離脱防止部１２ｘ，１２ｙを設けることが望ましい。一方、支柱体部Ｕｐは、断面積の異なる三本のパイプ部材２１，２２，２３を挿通させて構成し、第一パイプ部材２１と第二パイプ部材２２間に弾性部６を設けるとともに、第二パイプ部材２２と第三パイプ部材２３間に長さ調整部５を設けることができる。なお、弾性部６は、弾性力の大きい第一バネ部材２４と弾性力の小さい第二バネ部材２５を直列にして構成できる。
【００１０】
【実施例】
次に、本発明に係る好適な実施例を挙げ、図面に基づき詳細に説明する。
【００１１】
まず、本実施例に係る足場板用補助支持器１の構成について、図１〜図４を参照して説明する。
【００１２】
足場板用補助支持器１は、図１に示すように、上部の足場板保持体部Ｕｓと下部の支柱体部Ｕｐにより全体をＴ形状に構成する。
【００１３】
足場板保持体部Ｕｓは、図２に示すように、足場板Ｂの底面Ｂｄを支持する底面支持部２と、この底面支持部２の両端からそれぞれ突出して足場板Ｂの両側面Ｂｘ，Ｂｙを保持する一対の側面保持部３ｘ，３ｙを有する。
【００１４】
底面支持部２は、角形のパイプ部材により形成し、内部には、ガイドレール板１３ｘ，１３ｙを固定して設けるとともに、ピン部又は孔部によるバネ掛部１４ｘ，１４ｙを設ける。なお、底面支持部２の上面には、載置される足場板Ｂの底面Ｂｄの滑りを防止するため、ゴム板や凹凸等の滑止手段を設けることが望ましい。
【００１５】
一方、側面保持部３ｘは、水平部３ｘｈと鉛直部３ｘｖによりＬ形に構成し、水平部３ｘｈを底面支持部２の一端から当該底面支持部２の内部に挿入する。これにより、水平部３ｘｈは、底面支持部２の内面とガイドレール板１３ｘにより、図１中、矢印Ｆａ方向にスライド自在に支持される。この場合、水平部３ｘｈは、断面コの字形に形成し、内側面にピン部によるバネ掛部１５ｘを設けるとともに、このバネ掛部１５ｘとバネ掛部１４ｘ間にコイルスプリングを用いた加圧バネ部材１１ｘを架け渡す。また、鉛直部３ｘｖには、例えば凹凸が付されたゴム板等を固着した離脱防止部１２ｘを設け、足場板Ｂの側面Ｂｘに圧接した際の滑りを防止する。さらに、鉛直部３ｘｖの上端は、足場板Ｂを保持した際に、この足場板Ｂの上面よりも若干下方に位置するように、当該鉛直部３ｘｖの高さ寸法を設定する。
【００１６】
以上、一方の側面保持部３ｘ側の構成について説明したが、他方の側面保持部３ｙ側の構成も、側面保持部３ｘ側に対して左右対称になる点を除き側面保持部３ｘ側と同一に構成する。なお、側面保持部３ｙ側において、３ｙｈは水平部、３ｙｖは鉛直部、１１ｙは加圧バネ部材、１２ｙは離脱防止部、１５ｙはバネ掛部をそれぞれ示す。これにより、一対の側面保持部３ｘ，３ｙは、両者の間隔が狭まる方向に加圧バネ部材１１ｘ，１１ｙによりそれぞれ付勢される。
【００１７】
他方、支柱体部Ｕｐは、図１に示すように、断面積の異なる三本のパイプ部材２１，２２，２３を挿通させて構成する。即ち、断面積の最も大きい第一パイプ部材２１，断面積が二番目に大きい第二パイプ部材２２及び断面積の最も小さい第三パイプ部材２３を有し、第一パイプ部材２１の下端に第二パイプ部材２２の上端を挿入し、第二パイプ部材２２の下端に第三パイプ部材２３の上端を挿入して構成する。各パイプ部材２１…の断面形状は、丸形でもよいし角形でもよい。そして、第一パイプ部材２１の上端は、足場板保持体部Ｕｓの底部、即ち、底面支持部２の底面に結合するとともに、第三パイプ部材２３の下端には、地面Ｅ上に載置する地面載置部４を設ける。この地面載置部４は、図４に示すように、第三パイプ部材２３の下端に固定した組付部材２６，この組付部材２６の下端に設けた球継手部２７及びこの球継手部２７により自在に支持される足盤部２８を有し、この足盤部２８は自在に角度（向き）を変化させることができる。
【００１８】
また、第一パイプ部材２１と第二パイプ部材２２間には、上下方向の伸縮を許容する弾性部６を設ける。この場合、第二パイプ部材２２の上端には、大径に形成したストッパ部２９を設け、第一パイプ部材２１へ挿入した際に、図２に示すストッパ筒３０を挿入固定して、第一パイプ部材２１に対して第二パイプ部材２２が変位できるストロークＬｓを設定するとともに、ストッパ部２９と第一パイプ部材２１の上端間に形成される空間に、弾性部６を収容する。弾性部６は、弾性力の大きい第一バネ部材２４と弾性力の小さい第二バネ部材２５を直列にして構成する。これにより、第一パイプ部材２１は第二パイプ部材２２に対して、図１中、矢印Ｆｂ方向に弾性変位可能となる。
【００１９】
さらに、第二パイプ部材２２と第三パイプ部材２３間には、上下方向の長さを調整する長さ調整部５を設ける。長さ調整部５は、図３に示すように、第三パイプ部材２３に、長手方向へ一定間隔おきに形成した複数の孔部３１…を設けるとともに、第二パイプ部材２２に、孔部３１…に対してストッパピン３２を挿入し又は離脱させることができるストッパ機構３３を設けて構成する。この場合、ストッパ機構３３は、第二パイプ部材２２の外面に固定したブラケットの軸部３４に、中間部を回動自在に支持された操作レバー３５と、この操作レバー３５の一端３５ｓを第二パイプ部材２２の外面に当接する方向に付勢するスプリング３６を有し、この操作レバー３５の他端３５ｔ側が操作部となる。そして、操作レバー３５の一端３５ｓに、ストッパピン３２の一端を回動自在に結合し、ストッパピン３２の他端側を、第二パイプ部材２２に設けた挿通孔３７を通して第三パイプ部材２３側に臨ませる。
【００２０】
これにより、操作レバー３５の他端３５ｔを押操作すれば、図３に示す仮想線位置に回動変位し、ストッパピン３２は、第三パイプ部材２３から離脱するため、第三パイプ部材２３を第二パイプ部材２２に対して、図１中、矢印Ｆｃ方向（長手方向）へスライド変位させることができる。他方、所定位置における第三パイプ部材２３に対して、操作レバー３５をフリー状態にすれば、スプリング３６により操作レバー３５は実線位置に回動変位し、ストッパピン３２は、第三パイプ部材２３における所定の孔部３１に進入する。よって、ストッパピン３２は、挿通孔３７と孔部３１の双方に係止し、支柱体部Ｕｐの長さ調整を行うことができる。
【００２１】
足場板用補助支持器１は、このように構成されるため、保管時などの使用しないときは、第三パイプ部材２３を第二パイプ部材２２に押込み、短縮状態にすることができる。また、支持台として通常用いられる四本足の脚立に比べて、大幅な小型コンパクト化及び軽量化を実現でき、作業性，運搬性及び保管性を高めることができる。特に、支柱体部Ｕｐを、断面積の異なる三本のパイプ部材２１，２２，２３を挿通させて構成し、第一パイプ部材２１と第二パイプ部材２２間に弾性部６を設けるとともに、第二パイプ部材２２と第三パイプ部材２３間に長さ調整部５を設けたため、弾性部６及び長さ調整部５は、支柱体部Ｕｐに一体化され、更なる小型コンパクト化に貢献できる。
【００２２】
次に、本実施例に係る足場板用補助支持器１の使用方法及び各部の機能について、図１〜図６を参照して説明する。
【００２３】
本実施例に係る足場板用補助支持器１は、図５に模式的に示すように、両側が一対の支持台Ｓａ，Ｓｂによりそれぞれ支持される足場板Ｂの中間位置を支持するものである。支持台Ｓａ，Ｓｂには、通常、図６に示す脚立が用いられる。この場合、設置時には、脚立を広げた状態にして地面Ｅの上に載置し、横桟部Ｓａｒ，Ｓｂｒ（図５参照）の上に、足場板Ｂの両端側を載せて支持する。
【００２４】
そして、この状態における足場板Ｂの中間位置に、足場板用補助支持器１を装着する。この場合、まず、足場板保持体部Ｕｓにおける一対の側面保持部３ｘ，３ｙを加圧バネ部材１１ｘ，１１ｙの弾性に抗して両手で広げるとともに、側面保持部３ｘと３ｙ間に足場板Ｂを収容し、この位置で側面保持部３ｘ，３ｙをフリー状態にする。これにより、一対の側面保持部３ｘ，３ｙは、加圧バネ部材１１ｘ，１１ｙにより付勢され、足場板Ｂの両側面Ｂｘ，Ｂｙにそれぞれ圧接する。なお、この際、支柱体部Ｕｐは、第二パイプ部材２２に対して第三パイプ部材２３を押込んだ短縮状態にしておく。
【００２５】
よって、足場板Ｂの底面Ｂｄは、底面支持部２により支持され、かつ側面Ｂｘ，Ｂｙは、一対の側面保持部３ｘ，３ｙにより保持される。この際、側面保持部３ｘ，３ｙは、加圧バネ部材１１ｘ，１１ｙにより付勢されるため、側面Ｂｘ，Ｂｙは確実に保持されるとともに、各鉛直部３ｘｖ，３ｙｖに設けた離脱防止部１２ｘ，１２ｙにより、鉛直部３ｘｖ，３ｙｖと側面Ｂｘ，Ｂｙ間の滑りが防止される。また、このように側面保持部３ｘと３ｙの間隔が自在となるため、幅寸法の異なる各種足場板Ｂ…に対応させることができる。さらに、鉛直部３ｘｖ，３ｙｖの上端は、足場板Ｂを保持した際に、この足場板Ｂの上面よりも若干下方に位置するように設定されるため、作業者が足場板Ｂの上で作業する際に、鉛直部３ｘｖ，３ｙｖに躓いてしまう弊害が回避される。
【００２６】
一方、この状態で、ストッパ機構３３の操作レバー３５の他端３５ｔを押操作すれば、ストッパピン３２と孔部３１間の係止が解除されるため、第三パイプ部材２３が自重で落下し、地面載置部４が地面Ｅに当接する。そして、この状態から、更に弾性力の小さい第二バネ部材２５が短縮状態となるようにし、この位置で、操作レバー３５をフリー状態にする。これにより、ストッパピン３２が所定の孔部３１に挿入し、第二パイプ部材２２と第三パイプ部材２３が固定される。なお、この際、支柱体部Ｕｐの下端には、角度が自在に変化する足盤部２８を有するため、この足盤部２８が地面Ｅの形状にフィットし、支柱体部Ｕｐは、地面Ｅの上に安定した状態で載置される。
【００２７】
以上により、足場板Ｂに対する足場板用補助支持器１の装着が終了する。この状態を図５及び図６に示す。なお、実施例のような長さ調整部５を採用することにより、支柱体部Ｕｐを更に長くしたい場合には、第三パイプ部材２３をより長いパイプ部材に変更（交換）すればよく、容易に実現することができる。
【００２８】
よって、本実施例に係る足場板用補助支持器１を用いれば、図６に示すように、足場板Ｂの中間位置の下方における地面Ｅがその両側に対して凹状（又は凸状）になっている場合であっても、このような地面Ｅの状態に影響されることなく、常に足場板Ｂを安定かつ確実に支持することにより、安全性を高めることができる。
【００２９】
そして、図６に示すように、作業者Ｈが、足場板Ｂの中間位置に載った場合、作業者Ｈの荷重によって仮想線で示す足場板Ｂｓのように下方へ湾曲するが、この湾曲による変位は、弾性力の大きい第一バネ部材２４の短縮により吸収される。この際、作業者Ｈの荷重は、足場板Ｂの湾曲と第一バネ部材２４の短縮の双方により吸収されるため、荷重が分散されることになり、支柱体部Ｕｐの負担も軽減される。一方、作業者Ｈが、足場板Ｂの端部付近に載った場合、足場板Ｂの中間位置が多少浮上がることもあるが、この上方への変位は、弾性力の小さい第二バネ部材２５の弾性により支柱体部Ｕｐが伸長して追従するため、足場板用補助支持器１自身が浮上がったり不安定になることはない。
【００３０】
他方、図７には、離脱防止部１２ｙ…の変更例を示す。この変更例は、垂直部３ｙｖ…の上端に、足場板Ｂの上面に係止する係止片３ｙｖｓ…を設けたものである。この場合、係止片３ｙｖｓ…の辺部は、足場板Ｂの上面に対して段差が生じないように、内側から外側の辺部へ行くに従って漸次薄肉形成し、作業者が躓かないように考慮する。このような変更例を採用することにより、足場板保持体部Ｕｓからの足場板Ｂの抜けを確実に防止でき、係止片３ｙｖｓ…は、離脱防止部１２ｙ…を構成する。なお、図７中、図２と同一部分には同一符合を付して、その構成を明確にするとともに、その詳細な説明は省略する。
【００３１】
以上、実施例について詳細に説明したが、本発明はこのような実施例に限定されるものではなく、細部の構成，形状，素材，数量等において、本発明の要旨を逸脱しない範囲で任意に変更，追加，削除することができる。例えば、実施例は、足場板Ｂの中間位置を一本の足場板用補助支持器１で支持した場合を示したが、足場板Ｂが長い場合には、複数本の足場板用補助支持器１…により複数の中間位置を支持してもよく、本発明に係る足場板用補助支持器１…によれば、このような使用形態も容易に実現される。また、加圧バネ部材１１ｘ，１１ｙを架け渡すバネ掛部１４ｘ…，１４ｙ…を異なる複数位置に設け、バネ掛部１４ｘ…，１４ｙ…を選択することにより、足場板Ｂの幅寸法に対応させることができる。一方、支柱体部Ｕｐは、三本のパイプ部材２１，２２，２３により構成したが、この本数は任意である。また、支柱体部Ｕｐの本数は、一本で構成したが、二本で構成してもよいし、三脚のように三本で構成してもよい。さらに、離脱防止部１２ｘ，１２ｙの他の変更例としては、垂直部３ｘｖ，３ｙｖの表面に、先端が尖形のピン部（突出部）を複数設け、足場板Ｂの側面に直接食い込ませる形態であってもよい。
【００３２】
【発明の効果】
このように、本発明に係る足場板用補助支持器は、足場板の底面を支持する底面支持部及びこの底面支持部の両端からそれぞれ突出して足場板の少なくとも両側面を保持する一対の側面保持部を有する足場板保持体部と、この足場板保持体部の底部に上端を結合し、かつ下端を地面上に載置する地面載置部として構成するとともに、上下方向の長さを調整する長さ調整部及び上下方向の伸縮を許容する弾性部を有する支柱体部を備えるため、次のような顕著な効果を奏する。
【００３３】
（１）  小型コンパクト化及び軽量化の実現により、作業性，運搬性及び保管性を高めることができる。
【００３４】
（２）  載置する地面の状態に影響されることなく、常に足場板を安定かつ確実に支持することにより、安全性を高めることができる。
【００３５】
（３）  好適な実施の形態により、側面保持部を、水平部と鉛直部によりＬ形に構成し、水平部を底面支持部に対してスライド自在に取付けるとともに、一対の側面保持部の間隔が狭まる方向に加圧バネ部材によりそれぞれ付勢されるように構成すれば、鉛直部が足場板の側面に圧接し、足場板を確実に保持できるとともに、幅寸法の異なる各種足場板に対応させることができる。
【００３６】
（４）  好適な実施の形態により、鉛直部に、足場板の側面に当接した際に滑り又は抜けを防止する離脱防止部を設ければ、足場板保持体部と足場板を離脱しにくくし又は離脱を確実に阻止することができる。
【００３７】
（５）  好適な実施の形態により、支柱体部を、断面積の異なる三本のパイプ部材を挿通させて構成し、第一パイプ部材と第二パイプ部材間に弾性部を設けるとともに、第二パイプ部材と第三パイプ部材間に長さ調整部を設ければ、弾性部及び長さ調整部を支柱体部に一体化させることができ、更なる小型コンパクト化に貢献できる。また、支柱体部を更に長くしたい場合には、第三パイプ部材を、より長いパイプ部材に変更（交換）することにより、容易に実現することができる。
【００３８】
（６）  好適な実施の形態により、弾性部を、弾性力の大きい第一バネ部材と弾性力の小さい第二バネ部材を直列にして構成すれば、作業者が、足場板の中間位置に載った場合の荷重は、足場板の湾曲と第一バネ部材の短縮の双方により吸収されるため、支柱体部の負担を軽減できるとともに、作業者が、足場板の端部付近に載った場合の中間位置の浮上がりは、弾性力の小さい第二バネ部材の弾性により支柱体部が伸長して追従するため、足場板用補助支持器自身が浮上がったり不安定になる不具合を回避できる。
【図面の簡単な説明】
【図１】本発明の好適な実施例に係る足場板用補助支持器の正面図、
【図２】同足場板用補助支持器の足場板保持体部及び弾性部を示す拡大断面正面図、
【図３】同足場板用補助支持器の長さ調整部を示す拡大断面側面図、
【図４】同足場板用補助支持器の地面載置部を示す拡大断面正面図、
【図５】同足場板用補助支持器の使用状態を示す模式的斜視図、
【図６】同足場板用補助支持器の使用状態を示す側面図、
【図７】同足場板用補助支持器における変更例に係る離脱防止部の断面正面図、
【符号の説明】
１        足場板用補助支持器
２        底面支持部
３ｘ…    側面保持部
３ｘｈ…  水平部
３ｘｖ…  鉛直部
４        地面載置部
５        長さ調整部
６        弾性部
１１ｘ…  加圧バネ部材
１２ｘ…  離脱防止部
２１      第一パイプ部材
２２      第二パイプ部材
２３      第三パイプ部材
２４      第一バネ部材
２５      第二バネ部材
Ｓａ…    支持台
Ｂ        足場板
Ｂｄ      足場板の底面
Ｂｘ…    足場板の側面
Ｕｓ      足場板保持体部
Ｕｐ      支柱体部
Ｅ        地面
【図１】
2004278049.tif 000003
【図２】
2004278049.tif 000004
【図３】
2004278049.tif 000005
【図４】
2004278049.tif 000006
【図５】
2004278049.tif 000007
【図６】
2004278049.tif 000008
【図７】
2004278049.tif 000009